(57)【要約】【課題】高速撮影が可能なカメラ用シャッタ装置における構造の簡略化、羽根検出システムの簡略化、低コスト化を図る。【解決手段】基板１０に揺動自在に支持されて開口部１０ａを開閉し得る第１羽根群３０及び第２羽根群４０、第１羽根群３０を駆動する第１電磁駆動源５０、第２羽根群４０を駆動する第２電磁駆動源６０、第１羽根群３０及び第２羽根群４０に含まれるシャッタ羽根を検出できる一つの光センサ７０等によりカメラ用シャッタ装置を構成し、第１羽根群３０に開き動作及び第２羽根群４０に閉じ動作を行なわせると共に、これら羽根群の動作の前後で光センサ７０から出力される信号を確認して駆動制御を行なう。これにより、高速でのシャッタ動作が可能になり、検出システムが簡略化され、コストが低減される。【選択図】　図４
2004093719.tif 000002
【特許請求の範囲】
【請求項１】
露光用の開口部を有する基板と、前記基板に対して移動自在に支持され前記開口部を開閉し得る複数のシャッタ羽根と、前記複数のシャッタ羽根を駆動する電磁駆動源と、前記シャッタ羽根の位置を検出する検出手段と、前記検出手段の検出信号に基づいて前記電磁駆動源を駆動制御する制御手段とを備え、
前記複数のシャッタ羽根は、それぞれに駆動される第１羽根群と第２羽根群とからなり、
前記電磁駆動源は、前記第１羽根群を駆動する第１電磁駆動源と前記第２羽根群を駆動する第２電磁駆動源とからなり、
前記検出手段は、前記第１羽根群に含まれるシャッタ羽根と前記第２羽根群に含まれるシャッタ羽根とを検出できる位置に配置された一つのセンサからなる、ことを特徴とするカメラ用シャッタ装置。
【請求項２】
前記第１羽根群は、露光動作の際に、前記開口部を閉じる閉鎖位置から開放する開放位置に向けて開き動作を行なうように駆動され、
前記第２羽根群は、露光動作の際に、前記開口部を開放する開放位置から閉じる閉鎖位置に向けて閉じ動作を行なうように駆動され、
前記センサは、前記第１羽根群及び第２羽根群が前記閉鎖位置又は開放位置のいずれかに移動したとき出力信号が切り替わるように、配置されている、
ことを特徴とする請求項１記載のカメラ用シャッタ装置。
【請求項３】
前記制御手段は、前記第１電磁駆動源又は第２電磁駆動源により、前記第１羽根群又は第２羽根群が駆動される前及び駆動された後において、前記センサの検出信号を判定する、
ことを特徴とする請求項１又は２に記載のカメラ用シャッタ装置。
【請求項４】
前記第１羽根群及び第２羽根群は、お互いに近接して前記開口部を閉鎖しかつお互いに離隔して前記開口部を開放するように揺動自在に支持された複数のシャッタ羽根を含み、
前記センサは、前記第１羽根群の揺動範囲と前記第２羽根群の揺動範囲とが重なる位置に配置されている、
ことを特徴とする請求項１ないし３いずれかに記載のカメラ用シャッタ装置。
【請求項５】
前記第１羽根群及び第２羽根群は、それぞれに含まれるシャッタ羽根の揺動範囲の中心線同士が略直角ないし近傍の角度をなすように、配置されている、
ことを特徴とする請求項４記載のカメラ用シャッタ装置。
【発明の詳細な説明】
【０００１】
【発明の属する技術分野】
本発明は、デジタルカメラ等に搭載されるカメラ用シャッタ装置に関し、特に、別々に駆動されて露光用の開口部を開閉する複数のシャッタ羽根を備えるカメラ用シャッタ装置に関する。
【０００２】
【従来の技術】
従来のカメラ用シャッタ装置としては、露光用の開口部を有する基板、基板に対して回動自在に支持され開口部を開閉し得る一対のシャッタ羽根、一対のシャッタ羽根に駆動力を及ぼす一つの電磁アクチュエータ、シャッタ羽根の位置を検出する一つの光センサ等を備えたものが知られている（特開平１１−１４２９１１号公報）。
【０００３】
また、他のカメラ用シャッタ装置としては、露光用の開口部を有する円板状の基板、開口部の周りに回動自在に配置された駆動リング、駆動リングの回動に連動してお互いに径方向内側に近づいて開口部を閉鎖し又お互いに径方向外側に遠ざかって開口部を開放するアイリス状の複数のシャッタ羽根、駆動リングを駆動する一つの電磁アクチュエータ、シャッタ羽根の位置を検出する一つの光センサ等を備えたものが知られている（特開平１１−３２６９８９号公報）。
【０００４】
【発明が解決しようとする課題】
ところで、上記従来の装置においては、一つの電磁アクチュエータの駆動力により複数のシャッタ羽根が連動して開閉動作を行なうため、一つの光センサで一つのシャッタ羽根の位置を検出すれば、複数のシャッタ羽根全体の位置が検出できるようになっている。
【０００５】
一方、高速のシャッタ装置を提供するにあたり、複数のシャッタ羽根を、例えば二つの羽根群に分け、各々の羽根群に含まれるシャッタ羽根を、各々の羽根群に対応して設けられたそれぞれの電磁アクチュエータにより別々に駆動する構成が考えられる。
【０００６】
この場合、各々の羽根群に含まれるシャッタ羽根の位置を検出するために、従来のような検出手法を適用すると、各々の羽根群に対応してそれぞれ光センサを設ける必要がある。その結果、構成部品が増加し、シャッタ羽根の位置を検出するシステムが複雑化し、装置の高コスト化を招く。
【０００７】
本発明は、上記の問題点に鑑みて成されたものであり、その目的とするところは、シャッタ羽根の位置を検出するシステムの簡略化、低コスト化等を図りつつ、高速でのシャッタ動作が可能なカメラ用シャッタ装置を提供することにある。
【０００８】
【課題を解決するための手段】
本発明に係るカメラ用シャッタ装置は、露光用の開口部を有する基板と、基板に対して移動自在に支持され開口部を開閉し得る複数のシャッタ羽根と、複数のシャッタ羽根を駆動する電磁駆動源と、シャッタ羽根の位置を検出する検出手段と、検出手段の検出信号に基づいて電磁駆動源を駆動制御する制御手段とを備え、上記複数のシャッタ羽根は、それぞれに駆動される第１羽根群と第２羽根群とからなり、上記電磁駆動源は、第１羽根群を駆動する第１電磁駆動源と第２羽根群を駆動する第２電磁駆動源とからなり、上記検出手段は、第１羽根群に含まれるシャッタ羽根と第２羽根群に含まれるシャッタ羽根とを検出できる位置に配置された一つのセンサからなる、ことを特徴としている。
【０００９】
この構成によれば、一つのセンサが、第１羽根群及び第２羽根群に含まれるシャッタ羽根の位置を検出し、この検出信号に基づいて、制御手段が第１電磁駆動源及び第２電磁駆動源を駆動制御して、第１羽根群及び第２羽根群が開口部の開閉動作を行なう。すなわち、それぞれ駆動される第１羽根群及び第２羽根群により開閉動作が行なわれるため、高速でのシャッタ動作が可能になり、又、一つのセンサにより、第１羽根群と第２羽根群との位置が検出されるため、検出システムが簡略化され、コストが低減される。
【００１０】
上記構成において、第１羽根群は、露光動作の際に、開口部を閉じる閉鎖位置から開放する開放位置に向けて開き動作を行なうように駆動され、第２羽根群は、露光動作の際に、開口部を開放する開放位置から閉じる閉鎖位置に向けて閉じ動作を行なうように駆動され、センサは、第１羽根群及び第２羽根群が閉鎖位置又は開放位置のいずれかに移動したとき出力信号が切り替わるように配置されている、構成を採用できる。
この構成によれば、露光動作において、第１羽根群及び第２羽根群が開口部の開き動作及び閉じ動作を順次に行なうことで、より高速でのシャッタ動作が可能になる。また、センサは、第１羽根群及び第２羽根群が閉鎖位置又は開放位置のいずれかに移動したとき出力信号が切り替わるため、初期情報を予め設定すれば、出力信号、例えばＨレベル及びＬレベルの出力に応じて、第１羽根群及び第２羽根群の位置を確実に検出することができる。
【００１１】
上記構成において、制御手段は、第１電磁駆動源又は第２電磁駆動源により、第１羽根群又は第２羽根群が駆動される前及び駆動された後において、センサの検出信号を判定する、構成を採用できる。
この構成によれば、第１羽根群又は第２羽根群が駆動される前及び駆動された後において、センサの信号が制御手段により判定（確認）されるため、第１羽根群及び第２羽根群の位置が常に正確に検出され、確実な開閉動作（シャッタ動作）が行なわれる。
【００１２】
上記構成において、第１羽根群及び第２羽根群は、お互いに近接して開口部を閉鎖しかつお互いに離隔して開口部を開放するように揺動自在に支持された複数のシャッタ羽根を含み、センサは、第１羽根群の揺動範囲と第２羽根群の揺動範囲とが重なる位置に配置されている、構成を採用できる。
この構成よれば、揺動タイプのシャッタ羽根において、装置の小型化、集約化を図りつつ、一つのセンサで第１羽根群及び第２羽根群の位置を検出することができる。
【００１３】
上記構成において、第１羽根群及び第２羽根群は、それぞれに含まれるシャッタ羽根の揺動範囲の中心線同士が略直角ないし近傍の角度をなすように、配置されている、構成を採用できる。
この構成によれば、装置の小型化、集約化を図りつつ、第１羽根群及び第２羽根群の位置を共に検出し得るセンサの配置場所を容易に設定することができる。
【００１４】
【発明の実施の形態】
以下、本発明の実施の形態について、添付図面を参照しつつ説明する。
図１ないし図８は、本発明に係るカメラ用シャッタ装置の一実施形態を示すものであり、図１は装置の平面図、図２及び図３は展開断面図、図４は内部構造を示す平面図、図５ないし図８はシャッタ羽根の動作を示す平面図である。尚、図５ないし図８においては、説明の便宜上一方の羽根群のみを示す。
【００１５】
この装置は、図１ないし図４に示すように、露光用の開口部１０ａ，２０ａを有する基板としての地板１０及び裏板２０、地板１０に対して移動自在に支持され開口部１０ａを開閉し得る第１羽根群３０及び第２羽根群４０、第１羽根群３０を駆動する第１電磁駆動源５０、第２羽根群４０を駆動する第２電磁駆動源６０、第１羽根群３０及び第２羽根群４０に含まれるシャッタ羽根の位置を検出する検出手段としての一つの光センサ７０、種々の演算及び判定処理を行なうと共に光センサ７０の検出信号に基づいて電磁駆動源５０，６０を駆動制御する制御手段（不図示）等を備えている。
【００１６】
地板１０には、図２ないし図４に示すように、円形をなす露光用の開口部１０ａ、第１羽根群３０を支持する支軸１１，１２、第２羽根群４０を支持する支軸１３，１４，１５，１６、後述する駆動ピン５１ａ，６１ａの移動を許容する貫通孔１０ｂ，１０ｃ、第１羽根群３０及び第２羽根群４０を閉鎖位置及び開放位置にそれぞれ停止させるストッパ（不図示）等が形成されている。
裏板２０は、図２及び図３に示すように、地板１０と所定の間隔をおいて連結されて、第１羽根群３０及び第２羽根群４０を揺動自在に収容する羽根室Ｗを画定している。
【００１７】
第１羽根群３０は、図４に示すように、支軸１１に揺動自在に支持されたシャッタ羽根３１、支軸１２に揺動自在に支持されたシャッタ羽根３２（すなわち、複数のシャッタ羽根）により構成されている。シャッタ羽根３１，３２は、それぞれ円孔３１ａ，３２ａ、長孔３１ｂ，３２ｂを有し、円孔３１ａ，３２ａに支軸１１，１２が挿入され、長孔３１ｂ，３２ｂに駆動ピン５１ａが挿入されている。
すなわち、シャッタ羽根３１，３２は、お互いに近接して開口部１０ａを閉鎖する閉鎖位置とお互いに離隔して開口部１０ａを開放する開放位置との間を揺動自在となっている。
【００１８】
第２羽根群４０は、図４に示すように、支軸１３，１５に揺動自在に支持された一方側のシャッタ羽根４１，４３、支軸１４，１６に揺動自在に支持された他方側のシャッタ羽根４２，４４（すなわち、複数のシャッタ羽根）により構成されている。シャッタ羽根４１，４２，４３，４４は、それぞれ円孔４１ａ，４２ａ，４３ａ，４４ａ、長孔４１ｂ，４２ｂ，４３ｂ，４４ｂを有し、円孔４１ａ，４２ａ，４３ａ，４４ａに支軸１３，１４，１５，１６が挿入され、長孔４１ｂ，４２ｂ，４３ｂ，４４ｂに駆動ピン６１ａが挿入されている。
すなわち、一方側のシャッタ羽根４１，４３と他方側のシャッタ羽根４２，４４とは、お互いに近接して開口部１０ａを閉鎖する閉鎖位置とお互いに離隔して開口部１０ａを開放する開放位置との間を揺動自在となっている。
【００１９】
ここで、第１羽根群３０と第２羽根群４０とは、図４に示すように、シャッタ羽根３１及びシャッタ羽根３２の揺動範囲の中心線Ｌ１と、シャッタ羽根４１，４３及びシャッタ羽根４２，４４の揺動範囲の中心線Ｌ２との角度θが、略直角ないし近傍（若干大きめ、例えば９０度〜１２０度程度）の角度をなすように配置されている。
この配置により、装置の小型化、集約化を行ないつつ、第１羽根群３０及び第２羽根群４０を一つの光センサ７０で検出できるように、センサ７０の配置場所を容易に設定することができる。
【００２０】
光センサ７０は、図１ないし図４に示すように、第１羽根群３０の揺動範囲と第２羽根群４０の揺動範囲とが重なる位置に配置され、羽根室Ｗに向けて地板１０に固定されている。この光センサ７０は、検出光を発する投光素子と反射された検出光を受光する受光素子とにより構成された反射型の光センサ（ＰＲ）である。尚、スペース上の制約がなければ、透過型の光センサを採用してもよい。
【００２１】
このように、揺動タイプのシャッタ羽根３１，３２、４１〜４４からなる第１羽根群３０及び第２羽根群４０のそれぞれの位置を、一つの光センサ７０で検出できるように形成されているため、部品の削減、最適なレイアウトにより構造が簡略化され、装置が集約化、小型化される。
【００２２】
また、光センサ７０は、第１羽根群３０と第２羽根群４０との少なくとも一方が開放位置にあるとき、シャッタ羽根の存在を検出してＬレベルの信号を出力し、一方、第１羽根群３０と第２羽根群４０との両方が閉鎖位置にあるとき、シャッタ羽根が存在しないことを検出してＨレベルの信号を出力するようになっている。すなわち、光センサ７０は、第１羽根群３０及び第２羽根群４０が閉鎖位置又は開放位置のいずれかに移動したとき、出力信号が切り替わるように配置されている。
【００２３】
これにより、第１羽根群３０及び第２羽根群４０が閉鎖位置又は開放位置のいずれかに移動すれば、光センサ７０の出力信号が切り替わるため、初期情報を予め設定するだけで、第１羽根群３０及び第２羽根群４０の位置を確実に検出することができる。
【００２４】
第１電磁駆動源５０は、図１及び図２に示すように、Ｎ極及びＳ極に着磁された円柱状の磁石部及び磁石部から突出した駆動ピン５１ａを有するロータ５１、ロータ５１を回動自在に支持する枠部材５２、枠部材５２に巻回された励磁用のコイル５３、枠部材５２の外側に嵌合された円筒状のヨーク５４等により形成されている。そして、駆動ピン５１ａは、図４に示すように、シャッタ羽根３１，３２の円孔３１ａ，３２ａに連結されている。
すなわち、ロータ５１が所定の角度範囲を回動することで、第１羽根群３０が開口部１０ａを開閉する。ここでは、露光動作の際に、ロータ５１が図４中の時計回りに回転して、第１羽根群３０は閉鎖位置から開放位置へ向けて開き動作を行なうように駆動される。
【００２５】
第２電磁駆動源６０は、図１及び図３に示すように、Ｎ極及びＳ極に着磁された円柱状の磁石部及び磁石部から突出した駆動ピン６１ａを有するロータ６１、ロータ６１を回動自在に支持する枠部材６２、枠部材６２に巻回された励磁用のコイル６３、枠部材６２の外側に嵌合された円筒状のヨーク６４等により形成されている。そして、駆動ピン６１ａは、図４に示すように、シャッタ羽根４１，４２，４３，４４の円孔４１ａ，４２ａ，４３ａ，４４ａに連結されている。
すなわち、ロータ６１が所定の角度範囲を回動することで、第２羽根群４０が開口部１０ａを開閉する。ここでは、露光動作の際に、ロータ６１が図４中の反時計回りに回転して、第２羽根群４０は開放位置から閉鎖位置へ向けて閉じ動作を行なうように駆動される。
【００２６】
次に、このカメラ用シャッタ装置が、デジタルカメラに搭載された場合の動作について、図９のタイムチャート（被写体光が低輝度の場合）に基づき説明する。尚、デジタルカメラには、撮像素子としてのＣＣＤ、撮影画像を記録する記録部、レリーズ動作を行なうレリーズボタン、メインスイッチ、撮影画像を表示するモニター等が含まれる。
ここで、メインスイッチがオフとされた休止状態では、第１羽根群３０及び第２羽根群４０は、図５及び図８に示すように、開口部１０ａを閉鎖する閉鎖位置に位置している。
【００２７】
先ず、メインスイッチがオンとされると、制御手段は、第１電磁駆動源５０及び第２電磁駆動源６０を駆動する前に、Ｐ１点のタイミングにおいて、光センサ７０の出力信号（Ｈレベル）を判定して初期情報として取り込み、図５及び図８に示すように、第１羽根群３０及び第２羽根群４０が共に閉鎖位置にあることを確認する。
そして、制御手段は、第２電磁駆動源６０（コイル６３）に逆向き（開き側）の通電を行なって、図６に示すように、第２羽根群４０を開放位置に位置付ける。その後、制御手段は、Ｐ２点のタイミングにおいて、光センサ７０の出力信号（Ｌレベル）を判定して、第２羽根群４０が開放位置に位置付けられたことを確認する。
【００２８】
この待機状態において、撮影者がレリーズ動作を行なうと、制御手段は、先ず第１電磁駆動源５０（コイル５３）に正方向（開き側）の通電を行なって、図７に示すように、第１羽根群３０を開放位置に向け移動（開き動作）させる。
続いて、制御手段は、所定の間隔をおいて、第２電磁駆動源６０（コイル６３）に正方向（閉じ側）の通電を行なって、図８に示すように、第２羽根群４０を閉鎖位置に向け移動（閉じ動作）させる。
その後、制御手段は、Ｐ３点のタイミングにおいて、光センサ７０の出力信号（Ｌレベル）を判定して、第１羽根群３０が開放位置にあることを確認する。
【００２９】
上記のように、第１羽根群３０の開き動作と第２羽根群４０の閉じ動作により、露光動作が行なわれ、ＣＣＤに撮影された撮影画像は種々の処理が施されて記憶部に取り込まれ、１回の撮影が完了する。
【００３０】
その後、制御手段は、第１電磁駆動源５０（コイル５３）に逆向き（閉じ側）の通電を行なって、図５に示すように、第１羽根群３０を閉鎖位置に位置付ける。その後、制御手段は、Ｐ４点のタイミングにおいて、光センサ７０の出力信号（Ｈレベル）を判定して、第１羽根群３０及び第２羽根群４０が共に閉鎖位置にあることを確認する。以後の撮影においては、上述のシーケンスが繰り返し行なわれる。
【００３１】
上記一連の駆動制御においては、図９に示すように、制御手段は、第１電磁駆動源５０又は第２電磁駆動源６０により第１羽根群３０又は第２羽根群４０が駆動される前及び駆動された後（Ｐ１点、Ｐ２点、Ｐ３点、Ｐ４点）において、光センサ７０の出力信号（検出信号）を判定（確認）するようになっているため、第１羽根群３０及び第２羽根群４０の位置が常に正確に検出され、確実な開閉動作（シャッタ動作）が行なわれる。
【００３２】
次に、被写体光が高輝度の場合におけるカメラ用シャッタ装置の動作について、図１０のタイムチャートに基づき説明する。
先ず、メインスイッチがオンとされると、制御手段は、第１電磁駆動源５０及び第２電磁駆動源６０を駆動する前に、Ｐ１点のタイミングにおいて、光センサ７０の出力信号（Ｈレベル）を判定して初期情報として取り込み、図５及び図８に示すように、第１羽根群３０及び第２羽根群４０が共に閉鎖位置にあることを確認する。
そして、制御手段は、第２電磁駆動源６０（コイル６３）に逆向き（開き側）の通電を行なって、図６に示すように、第２羽根群４０を開放位置に位置付ける。その後、制御手段は、Ｐ２点のタイミングにおいて、光センサ７０の出力信号（Ｌレベル）を判定して、第２羽根群４０が開放位置に位置付けられたことを確認する。
【００３３】
この待機状態において、撮影者がレリーズ動作を行なうと、制御手段は、先ず第２電磁駆動源６０（コイル６３）に正方向（閉じ側）の通電を行なって、図８に示すように、第２羽根群４０を閉鎖位置に向け移動（閉じ動作）させる。
続いて、制御手段は、高輝度の場合よりも短い時間をおいて、第１電磁駆動源５０（コイル５３）に正方向（開き側）の通電を行なって、図７に示すように、第１羽根群３０を開放位置に向け移動（開き動作）させる。
その後、制御手段は、Ｐ３点のタイミングにおいて、光センサ７０の出力信号（Ｌレベル）を判定して、第１羽根群３０が開放位置にあることを確認する。
【００３４】
上記のように、被写体光が高輝度の場合は、露光量を絞るために、第２羽根群４０に閉じ動作を行なわせつつ第１羽根群３０に開き動作を行なわせることで、開口部１０ａが全開されない絞られた開口波形が得られて、所望の露光動作が行なわれる。その後、ＣＣＤに撮影された撮影画像は種々の処理が施されて記憶部に取り込まれ、１回の撮影が完了する。
【００３５】
その後、制御手段は、第１電磁駆動源５０（コイル５３）に逆向き（閉じ側）の通電を行なって、図５に示すように、第１羽根群３０を閉鎖位置に位置付ける。その後、制御手段は、Ｐ４点のタイミングにおいて、光センサ７０の出力信号（Ｈレベル）を判定して、第１羽根群３０及び第２羽根群４０が共に閉鎖位置にあることを確認する。以後の撮影においては、上述のシーケンスが繰り返し行なわれる。
【００３６】
上記一連の駆動制御においては、図１０に示すように、制御手段は、第１電磁駆動源５０又は第２電磁駆動源６０により第１羽根群３０又は第２羽根群４０が駆動される前及び駆動された後（Ｐ１点、Ｐ２点、Ｐ３点、Ｐ４点）において、光センサ７０の出力信号（検出信号）を判定（確認）するようになっているため、第１羽根群３０及び第２羽根群４０の位置が常に正確に検出され、確実な開閉動作（シャッタ動作）が行なわれる。
【００３７】
上記実施形態においては、第１羽根群３０を２枚のシャッタ羽根３１，３２により形成し、第２羽根群４０を４枚のシャッタ羽根４１，４２，４３，４４により形成した場合を示したが、これに限定されるものではなく、第１羽根群と第２羽根群とのシャッタ羽根を検出できれば、それぞれ１枚のシャッタ羽根、あるいはそれ以外の枚数のシャッタ羽根を採用した構成において、一つの光センサ７０を配置してもよい。
【００３８】
また、上記実施形態においては、検出手段として光センサ７０を示したが、これに限定されるものではなく、シャッタ羽根を検出できるものであれば、磁気的センサその他のセンサを採用してもよい。
さらに、上記実施形態においては、２枚のシャッタ羽根３１，３２からなる羽根群３０を開き動作を行なわせる第１羽根群とし、４枚のシャッタ羽根４１〜４４からなる羽根群４０を閉じ動作を行なわせる第２羽根群としたが、これに限定されるものではなく、４枚のシャッタ羽根４１〜４４からなる羽根群４０を開き動作を行なわせる第１羽根群とし、２枚のシャッタ羽根３１，３２からなる羽根群３０を閉じ動作を行なわせる第２羽根群としてもよい。
【００３９】
【発明の効果】
以上述べたように、本発明のカメラ用シャッタ装置によれば、露光用の開口部を開閉し得る複数のシャッタ羽根を、それぞれに駆動される第１羽根群と第２羽根群とに分け、第１羽根群を駆動する第１電磁駆動源と第２羽根群を駆動する第２電磁駆動源とを設け、第１羽根群に含まれるシャッタ羽根と第２羽根群に含まれるシャッタ羽根とを検出できる一つのセンサを設けたことにより、それぞれ駆動される第１羽根群及び第２羽根群により開閉動作が行なわれるため、高速でのシャッタ動作が可能になり、又、一つのセンサにより第１羽根群と第２羽根群との位置が検出されるため、検出システムが簡略化され、コストが低減される。
【図面の簡単な説明】
【図１】本発明に係るカメラ用シャッタ装置の一実施形態を示す外観平面図である。
【図２】図１に示す装置の一部分を示した展開断面図である。
【図３】図１に示す装置の一部分を示した展開断面図である。
【図４】図１に示す装置に含まれる第１羽根群及び第２羽根群を示した平面図である。
【図５】第１羽根群が、開口部を閉鎖する閉鎖位置にある状態を示す平面図である。
【図６】第２羽根群が、開口部を開放する開放位置にある状態を示す平面図である。
【図７】第１羽根群が、開口部を開放する開放位置にある状態を示す平面図である。
【図８】第２羽根群が、開口部を閉鎖する閉鎖位置にある状態を示す平面図である。
【図９】この装置の制御動作を説明するためのタイムチャートである。
【図１０】この装置の他の制御動作を説明するためのタイムチャートである。
【符号の説明】
１０　地板（基板）
１０ａ，２０ａ　露光用の開口部
１０ｂ，１０ｃ　貫通孔
１１，１２，１３，１４，１５，１６　支軸
２０　裏板（基板）
３０　第１羽根群
３１，３２　シャッタ羽根
４０　第２羽根群
４１，４２，４３，４４　シャッタ羽根
５０　第１電磁駆動源
５１　ロータ
５１ａ　駆動ピン
５２　枠部材
５３　コイル
５４　ヨーク
６０　第１電磁駆動源
６１　ロータ
６１ａ　駆動ピン
６２　枠部材
６３　コイル
６４　ヨーク
７０　光センサ（検出手段）
Ｌ１，Ｌ２　揺動範囲の中心線
【図１】
2004093719.tif 000003
【図２】
2004093719.tif 000004
【図３】
2004093719.tif 000005
【図４】
2004093719.tif 000006
【図５】
2004093719.tif 000007
【図６】
2004093719.tif 000008
【図７】
2004093719.tif 000009
【図８】
2004093719.tif 000010
【図９】
2004093719.tif 000011
【図１０】
2004093719.tif 000012